(57)【特許請求の範囲】
【請求項１】
観察光に含まれる特定方向の高い空間周波数成分の光をカットするために光路中に水晶製のローパスフィルタを配置して、光路の周辺部分の不要光を遮るための遮光マスクを上記ローパスフィルタの端面に設けた内視鏡用光学系において、
上記遮光マスクを、上記ローパスフィルタの光軸に垂直方向の端面の周辺部分に蒸着又は印刷により形成すると同時に、上記ローパスフィルタを形成する水晶の光学軸に対して所定の向きに位置する上記遮光マスクの縁部を部分的に外方に突出させることにより指標を形成したことを特徴とする内視鏡用光学系。
【請求項２】
上記ローパスフィルタが、水晶素材に上記遮光マスクと指標を規則的に多数配列してそれらを同時に形成したあと、個々のローパスフィルタの大きさに切り分けて形成されている請求項１記載の内視鏡用光学系。
【発明の詳細な説明】
【０００１】
【産業上の利用分野】
この発明は、水晶製のローパスフィルタを含む内視鏡用光学系に関する。
【０００２】
【従来の技術】
内視鏡の観察画像を固体撮像素子で撮像して電子信号として伝送するようにした電子内視鏡においては、一般のカラーテレビカメラ等と同様に、いわゆる色偽信号の発生を防止するために、観察光に含まれる水平方向の高い空間周波数成分をカットするためのローパスフィルタを撮像光学系中に設けるのが望ましく、その目的のために、一軸結晶体である水晶製のローパスフィルタが用いられる。
【０００３】
また、観察画像の伝達にイメージガイドファイババンドルを用いた光学式のファイバスコープでは、接眼光学系内に水晶製のローパスフィルタを設けることによって、ファイバ繊維の網の目が目立たないようにすることができる。
【０００４】
【発明が解決しようとする課題】
観察光に含まれる水平方向の高い空間周波数成分をカットするためには、一軸結晶体である水晶の光学軸を固体撮像素子の走査方向に対して所定の正しい向きにセットする必要がある。しかし、水晶の光学軸は簡単に目視することができないので、光学軸の方向を間違えて組み立ててしまう恐れがあった。
【０００５】
また、接眼光学系に水晶製のローパスフィルタを設けることによって、ファイバ繊維の網の目が目立たないようにする場合にも、水晶の光学軸の方向を、ファイバ繊維の配列方向に対して所定の正しい向きにセットする必要がある。
【０００６】
そこで本発明は、ローパスフィルタを形成する水晶の光学軸の方向を容易かつ確実に確認することができて、ローパスフィルタを正しい向きに組み付けることのできる内視鏡用光学系を提供することを目的とする。
【０００７】
【課題を解決するための手段】
上記の目的を達成するため、本発明の内視鏡用光学系は、観察光に含まれる特定方向の高い空間周波数成分の光をカットするために光路中に水晶製のローパスフィルタを配置して、光路の周辺部分の不要光を遮るための遮光マスクを上記ローパスフィルタの端面に設けた内視鏡用光学系において、上記遮光マスクに、上記ローパスフィルタを形成する水晶の光学軸に対して所定の向きに指標を設けたことを特徴とする。
【０００８】
なお、上記指標を上記遮光マスクの縁部に形成してもよく、上記遮光マスクを上記ローパスフィルタの端面に蒸着又は印刷により形成してもよい。
その場合、上記ローパスフィルタを、水晶素材に上記遮光マスクと指標を規則的に多数配列してそれらを同時に形成したあと、個々のローパスフィルタの大きさに切り分けて形成するとよい。
【０００９】
【実施例】
図面を参照して実施例を説明する。
図２は電子内視鏡の先端部の側面断面図、図３はそのＩＩＩ−ＩＩＩ断面図である。
【００１０】
図２において、１は、挿入部を形成する細長い可撓管の先端に形成された湾曲部であり、複数の節輪２がリベットによって回動自在に連結されている。その外周は、金属細線製の網状管４及びゴム製の外被チューブ５によって被覆されている。
【００１１】
遠隔的に牽引操作される湾曲操作ワイヤ７は、各節輪２から内方に突設されたワイヤガイド８内に進退自在に挿通されている。そして、各湾曲操作ワイヤ７の先端は、最先端のワイヤガイド８に銀ロー付けによって固着されている。９は、最先端のワイヤガイド８の端部に銀ロー付けなどによって固着された、抜け止め用のストッパパイプである。
【００１２】
１１は、連結筒１２を介して湾曲部１の先端に連結された先端部本体であり、金属製の胴部１１ｂと、その先端部分に接合された電気絶縁性プラスチック製の頭部１１ａとにより形成されている。
【００１３】
先端部本体１１は、先端側（図２で左方）から見て円形の断面形状をしており、その内部に対物光学系（撮像光学系）１３が内蔵されている。対物光学系１３は、複数のレンズからなる対物レンズ群１３ａと直角プリズム１３ｄなどを含んでいる。
【００１４】
対物レンズ群１３ａの軸方向は先端部本体１１の軸方向と一致していて、前方の物体が被写体となる。観察窓１４は、対物光学系１３の最先端のレンズによって形成されている。１５及び１６は、対物レンズ群１３ａが嵌め込み接着された鏡枠。１７は明るさ絞り。１８はシール用のＯリングである。
【００１５】
先端部本体１１の胴部１１ｂ内には、例えばＣＣＤ（電荷結合素子）を用いた固体撮像素子３１が配置されている。固体撮像素子３１の受像面３１ａは正方形又は長方形に形成されていて、対物レンズ群１３ａの光軸に対して平行に配置されている。３１ｂは、受像面３１ａに密着して配置されたカバーガラスである。
【００１６】
そして、対物レンズ群１３ａと固体撮像素子３１との間に配置された直角プリズム１３ｄによって、対物光学系１３の光軸が、固体撮像素子３１の受像面３１ａの中心に垂直に交わるように、直角に反射されている。
【００１７】
直角プリズム１３ｄと対物レンズ群１３ａとの間には、鏡枠１６の後半部に接続された接続筒１９内に、色補正フィルタ１３ｂと水晶製のローパスフィルタ１３ｃとが互いに接合されて介挿されていて、直角プリズム１３ｄとローパスフィルタ１３ｃも互いに接合されている。
【００１８】
このような配置により、図２の左方の被写体の像が、対物光学系１３によって、固体撮像素子３１の受像面３１ａに結像し、固体撮像素子３１によって撮像される。
【００１９】
色補正フィルタ１３ｂの前面側には、光路の周辺部の不要光を遮るための第１の遮光マスク２５が貼り付けられている。また、水晶製のローパスフィルタ１３ｃの後端面には、やはり光路周辺部の不要光を遮るための第２の遮光マスク２６が蒸着により形成されている。
【００２０】
このように設けられた第１と第２の遮光マスク２５，２６によって、プリズム１３ｄに対する不要光の入射が大幅に削減されて、ゴーストの発生等が阻止されている。
【００２１】
ローパスフィルタ１３ｃは、観察光に含まれる水平方向の高い空間周波数成分をカットするためのものであり、そのためには、一軸結晶体である水晶の光学軸を固体撮像素子３１の走査方向に対して所定の正しい向きにセットする必要がある。
【００２２】
そこで、図１の３面図（正面図、側面図、底面図）に示されるように、ローパスフィルタ１３ｃの端面に形成された第２の遮光マスク２６の縁部に、水晶の光学軸のＸ軸の方向に合わせて、指標２７が形成されている。
【００２３】
この実施例では、指標２７は第２の遮光マスク２６の縁部を半円状に外側に突出させて形成されている。なお、理解し易くするために、図１の正面図において、遮光マスク２６部分には斜線を付してある。この斜線は断面を表示するものではない。
【００２４】
このような指標２７を設けたことにより、組み立て時には、図３に示されるように、例えば指標２７が上向きになるようにローパスフィルタ１３ｃを組み込めば、水晶の光学軸が固体撮像素子３１の撮像面に対して常に所定の正しい向きになるように、ローパスフィルタ１３ｃがセットされる。
【００２５】
このような指標２７の付いたローパスフィルタ１３ｃの製造は、例えば図４に示されるように、大きな水晶板素材１３０に、指標２７付きの第２の遮光マスク２６を規則的に多数配列してそれらを同時に蒸着し、その後で個々のローパスフィルタ１３ｃの大きさに切り分ければよい。
【００２６】
このようにすることにより、一個の寸法が極めて小さくて光学軸の方向の判別が容易でない内視鏡用ローパスフィルタ１３ｃの光学軸の方向を、切断前の大きな水晶板素材１３０の状態で容易に判別することができるので、指標２７を確実に正しい向きに形成することができる。なお、第２の遮光マスクの形成は、蒸着によらず遮光塗料の印刷などにより行ってもよい。
【００２７】
なお、指標２７は、必ずしもＸ軸方向でなくても、ローパスフィルタ１３ｃの水晶の光学軸方向に対して常に一定の向きに形成すればよい。また、指標２７を、第２の遮光マスク２６の縁部から離れてその外側に形成してもよい。
【００２８】
図２に戻って、４２は、固体撮像素子３１の信号処理を行うための電子部品（図示せず）を取り付けた可撓性のある回路基板４２であり、信号ケーブル４３の先端部分にはんだ付けによって固着接続されている。その先端側には固体撮像素子３１が固着されており、固体撮像素子３１の受像面３１ａ側は直角プリズム１３ｄと接合されている。
【００２９】
回路基板４２は、コの字状の断面形状に折り曲げられて、その周囲をシールドテープ４４と絶縁テープ４５によって被覆され、内部空間にはエポキシ系の接着剤６０が充填されて変形しないように固められている。
【００３０】
このようにして、対物光学系１３と固体撮像素子３１と回路基板４２と信号ケーブル４３とが全体として一体的に一つのユニットとして形成され、連結筒１２に、上下一対の押さえ板４６を介して、固定ねじ５２によって固定されている。
【００３１】
図３に示される、５１は照明用ライトガイドファイババンドル、５２及び５３は送気チューブ及び送水チューブ、５４は鉗子チャンネルである。
なお、本発明は上記実施例に限定されるものではなく、本発明を例えばファイバスコープの接眼光学系等に適用してもよい。
【００３２】
【発明の効果】
本発明によれば、ローパスフィルタの端面に設けられた遮光マスクに、ローパスフィルタを形成する水晶の光学軸に対して所定の向きに指標を設けたので、ローパスフィルタを組み込む際に、指標の向きから水晶の光学軸の方向を容易かつ確実に確認することができて、ローパスフィルタを常に正しい向きに組み付けることができる。
【００３３】
そして、遮光マスクの縁部に指標を蒸着又は印刷などにより形成すれば、指標の形成及び目視による確認等が容易である。
【図面の簡単な説明】
【図１】実施例のローパスフィルタに対する指標の方向を示す３面図である。
【図２】実施例の内視鏡の先端部の側面断面図である。
【図３】実施例の正面（ＩＩＩ−ＩＩＩ）断面図である。
【図４】実施例の指標の製造工程を例示するローパスフィルタの正面図である。
【符号の説明】
１３ｃ  ローパスフィルタ
２６  遮光マスク
２７  指標
【図１】
0003579488.tif 000002
【図２】
0003579488.tif 000003
【図３】
0003579488.tif 000004
【図４】
0003579488.tif 000005